(57)【要約】【課題】小型で装着感に優れるとともに、清潔で装着容易なリストバンド用クリップを提供する。【解決手段】バンド部４０に形成されたセット穴４４にボス１８を通し、クリップ１０にリストバンド２０を取り付けた後、リストバンド２０を手首に巻き付け、ボス１８をバンド穴２２に通す。ついでヒンジ１６を介してメスクリップ１４をオスクリップ１２側に折り曲げて閉じる。２つのバンド穴２２に一度に一対のボス１８が通されることによって、グラツキやガタツキなどを防止できる。クリップ１０はポリエチレンなどの合成樹脂材によって形成されているので肌などを刺激することがなく、またその表面には抗菌コートが施され、クリップ１０に付着した菌の増殖を抑制できる。【選択図】  図３
2005160551.tif 000002
【特許請求の範囲】
【請求項１】
長手方向の両端部に一定の間隔をもって複数のバンド孔が形成されたリストバンドを環状に巻き止めるリストバンド用クリップにおいて、
前記リストバンド用クリップは、前記リストバンドのバンド孔の間隔に対応した一対のボスが形成されたオスクリップと、前記一対のボスが挿通される一対のボス孔が形成されたメスクリップと、を備え、前記リストバンドの両端部のバンド孔を重ね合わせた状態で前記ボスを前記バンド孔を介して前記ボス孔に嵌め合わせることにより前記リストバンドを環状に巻き止めるとともに、
前記ボスとボス孔は、前記オスクリップとメスクリップとを繋ぎ止めるロック可能な形状を有していることを特徴とするリストバンド用クリップ。
【請求項２】
前記ボスには、ボスの先端に向けて径が狭められた円錐形状の第１の拡径部と、
前記ボスの先端に形成され、前記第１の拡径部よりもその径が小さい第２の拡径部と、が備えられるとともに、
前記ボス孔には、前記第１の拡径部を保持する保持部と、
前記ボス孔の内周に張り出して形成され、ボス孔内で前記第２の拡径部と係合する抜け止め部と、が備えられていることを特徴とする請求項１に記載されたリストバンド用クリップ。
【請求項３】
前記リストバンド用クリップは、弾性材料で形成されていることを特徴とする請求項１または請求項２に記載されたリストバンド用クリップ。
【請求項４】
前記リストバンド用クリップは、その表面に抗菌コートが施されていることを特徴とする請求項１または請求項３のいずれか１項に記載されたリストバンド用クリップ。
【発明の詳細な説明】
【技術分野】
【０００１】
本発明はリストバンド用クリップに係り、特に病院などで患者の手首や足首などに巻き付けて使用されるリストバンド用クリップ に関する。
【背景技術】
【０００２】
近年、病院では患者の取り違えミスを防止するために、患者の名前や年齢、血液型といった患者固有の識別データを表示したリストバンドを患者の手首や足首に取り付けることが行われている。
【０００３】
一般にリストバンドは帯状に形成されており、これを手首などに巻き付けて両端部をリストバンド用クリップにて止める。このリストバンド用クリップはヒンジにて連結されたオスクリップ部とメスクリップ部とで構成されており、オスクリップ部に形成されたバンド孔挿通ピン（ボス）をリストバンドのバンド孔に挿入した後、メスクリップ部に形成されたピン孔（ボス孔）を嵌め合わせてリストバンドを環状に巻き止めるものである（特許文献１参照）。
【０００４】
また、オスクリップ部とメスクリップ部とを互いに繋ぎ止めるロック手段を備えたものも知られている（特許文献２参照）。
【特許文献１】特許第３２４５０２８号公報
【特許文献２】特開２００３−２８９９１７号公報
【発明の開示】
【発明が解決しようとする課題】
【０００５】
しかし、特許文献１に記載されたリストバンド用クリップは、ひとつのボス孔にボスを嵌め合わせる構成のため、ボスを軸にリストバンドが揺れ動いてしまうなどで装着感が悪く、装着者に不快感を与えるという欠点があった。
【０００６】
また、特許文献２に記載されたリストバンド用クリップは、リストバンド固定用のガイドを設けて、ボスを軸としたリストバンドの揺れを防止できるが、ロック手段によってリストバンド用クリップがリストバンドよりもはみ出てしまい、リストバンド用クリップが大型化する欠点があった。
【０００７】
さらに、これらリストバンド用クリップは、いずれも素材が固いために装着感が悪く、新生児や幼児用として不向きであるという欠点があった。
【０００８】
本発明はこのような事情に鑑みてなされたもので、小型で装着感に優れたリストバンド用クリップを提供することを目的とする。
【課題を解決するための手段】
【０００９】
本発明は前記目的を達成するために、長手方向の両端部に一定の間隔をもって複数のバンド孔が形成されたリストバンドを環状に巻き止めるリストバンド用クリップにおいて、前記リストバンド用クリップは、前記リストバンドのバンド孔の間隔に対応した一対のボスが形成されたオスクリップと、前記一対のボスが挿通される一対のボス孔が形成されたメスクリップと、を備え、前記リストバンドの両端部のバンド孔を重ね合わせた状態で前記ボスを前記バンド孔を介して前記ボス孔に嵌め合わせることにより前記リストバンドを環状に巻き止めるとともに、前記ボスとボス孔は、前記オスクリップとメスクリップとを繋ぎ止めるロック可能な形状を有していることを特徴としている。
【００１０】
本発明によれば、一対のボスと一対のボス孔とによってリストバンドを２箇所で支持できるので、リストバンドの回動が規制され、前後左右へのグラツキやガタツキを生じさせることなく、リストバンドを手首などにしっかりと巻き付けることができる。さらに本発明では、ボスとボス孔とはボスをボス孔に嵌め合わせたときにオスクリップとメスクリップとを繋ぎ止めるロック可能な形状を有しているので、リストバンド用クリップでリストバンドを環状に巻き止めしたときに、オスクリップとメスクリップとはロックされる。これにより、リストバンド自体の回動やグラツキを防止できるだけでなく、オスクリップとメスクリップとの間のグラツキなども防止できるので、装着感に優れたリストバンドを提供できる。さらに、ボスとボス孔をロック可能な形状に形成したので、従来のようにロック手段を別途形成する場合と比してリストバンド用クリップをコンパクト化できる。
【００１１】
請求項２はオスクリップとメスクリップとを繋ぎ止めるロック可能な形状のボスとボス孔との好ましい一例であり、請求項２によれば、ボスには、ボスの先端に向けて径が狭められた円錐形状の第１の拡径部と、前記ボスの先端に形成され、前記第１の拡径部よりもその径が小さい第２の拡径部と、が備えられるとともに、前記ボス孔には、前記第１の拡径部を保持する保持部と、前記ボス孔の内周に張り出して形成され、ボス孔内で前記第２の拡径部と係合する抜け止め部と、が備えられて構成される。これにより、第２の拡径部が抜け止め部に係合することで、オスクリップとメスクリップとが繋ぎ止められるとともに、第１の拡径部が保持部によって保持されることで、オスクリップとメスクリップとの間のグラツキやガタツキを防止できる。なお、リストバンドを巻き止めする際には、はじめにリストバンドのバンド孔にボスを嵌め合わせてバンド孔の位置を仮決めする。このとき、第１の拡径部または第２の拡径部によってバンド孔をひっかけて、リストバンドがボスから容易にはずれてしまうことが防止できるので、リストバンドの長さ調整が容易に行なえる。
【００１２】
請求項３に記載された本発明によれば、このリストバンド用クリップは、弾性材料で形成されているので、皮膚などに接する部分の装着感を良好にできる。なお、この弾性材料としてはたとえばポリエチレンやゴム、ウレタンなどや、これら弾性材料の混合剤（ウレタンゴムなど）を用いてもよい。また、弾性材料の硬度（弾性係数）は弾性変形を容易とする程度が望ましく、たとえばリストバンドと同程度か、それ以下の、硬度が低い弾性材料を用いることが望ましい。
【００１３】
請求項４に記載された本発明によれば、このリストバンド用クリップは、その表面に抗菌コートが施されているので、リストバンド用クリップに付着した菌の増殖を抑制でき、高い抗菌効果を得ることができる。なお、抗菌コートとして用いるコーティング材料は、塗膜機能を有する樹脂や溶剤（塗料の展色剤と同様のもの）に抗菌剤を混合したものを用いる。また、リストバンド用クリップの表面の全面に抗菌コートを施す必要はなく、たとえば皮膚との接触面のみに抗菌コートを施した構成としてもよい。
【発明の効果】
【００１４】
本発明によれば、小型で装着感に優れるとともに、清潔で装着容易なリストバンド用クリップを提供できる。
【発明を実施するための最良の形態】
【００１５】
以下、添付図面に従って本発明に係るリストバンド用クリップの実施の形態について詳説する。
【００１６】
図１は本発明の実施の形態に係るリストバンド用クリップの平面図、図２はその断面図である。図１に示すように、本実施の形態のリストバンド用クリップ（以下、単にクリップと記載する）１０は、略８の字形状のオスクリップ部１２とメスクリップ部１４とがヒンジ１６にて左右対称に連結されて一体形成されている。これらオスクリップ部１２とメスクリップ部１４およびヒンジ１６は、肌に触れても肌を刺激などすることがないようにポリエチレンやゴム、ウレタンなどを用いた合成樹脂材などによって形成される。
【００１７】
また、このクリップ１０には、その表面に抗菌コートが施されている。抗菌コートとして用いるコーティング材料は、塗膜機能を有する樹脂や溶剤（塗料の展色剤と同様のもの）に抗菌剤を混合したものであり、このような構成のコーティング材料をクリップ１０の表面に塗布する。
【００１８】
抗菌剤としては、具体的にはＮ−アルキルジアミノエチルグリシンなどの両性界面活性剤、陽イオン性界面活性剤、グアニジン系殺菌剤などの抗菌作用、殺菌作用が良好なものを用いる。これら抗菌剤を混合した混合剤を用いてもよい。また、防腐剤、防カビ剤などのようなものを抗菌剤に代えて用いてもよい。さらに、これら抗菌剤を含む抗菌材料を用いてリストバンド用クリップを形成して抗菌コートを実現してもよい。
【００１９】
図１，図２に示すように、オスクリップ部１２の円形状部１２ａ，１２ｂの中央にはボス１８が形成され、それぞれのボス１８は、後述するリストバンドに形成されたバンド孔の形成間隔Ｐと同間隔で形成されている。また、メスクリップ部１４の円形状部１４ａ，１４ｂの中央にはボス孔２４が形成され、これらボス孔２４の形成間隔もバンド孔２２の形成間隔Ｐと同間隔で形成されている。
【００２０】
ヒンジ１６は、薄板状で屈曲可能に形成され、その中央には屈曲を容易とするための楕円形状の開口部１６ａが形成されている。
【００２１】
図２に示すように、オスクリップ部１２に突出するように形成されたボス１８には、円柱状の軸部２６先端に第１の拡径部を構成する円錐状の係止部２８と、さらにその先端に第２の拡径部を構成する逆止部３０とが設けられている。逆止部３０における軸部２６の外周からの突出部分は弾性変形によりその径が拡縮可能に構成されている。
【００２２】
一方、メスクリップ部１４のボス孔２４は、オスクリップ部１２のボス１８の係止部２８の形状に対応して逆円錐状（すり鉢状）に形成された保持部３２を有している。
【００２３】
また、ボス孔２４におけるメスクリップ部１４下面には、ボス孔２４の内周に沿って肉盛してなる抜け止め部３４が形成されている。この抜け止め部３４には切り欠き３６が４箇所形成され（図１参照）、抜け止め部３４の内径を拡縮可能としている。
【００２４】
このような構成のクリップ１０をヒンジ１６で折り畳むと、オスクリップ部１２のボス１８がメスクリップ部１４のボス孔２４に嵌入されて、オスクリップ部１２とメスクリップ部１４とが繋ぎ止められる。すなわち、ボス孔２４の抜け止め部３４がボス１８の逆止部３０で押し広げられつつ、ボス１８がボス孔２４に挿入される。抜け止め部３４は逆止部３０が通過するとその弾性復元力で縮径して逆止部３０と係止部２８との間に嵌まり込む。ボス孔２４の保持部３２は、ボス１８の係止部２８の形状に対応していることから、係止部２８が保持部３２に密着するように保持され、ボス孔２４におけるボス１８のガタツキが防止される。この状態で、ボス１８をボス孔２４から抜こうとしても、抜け止め部３４が逆止部３０に引っ掛かり、ボス１８の抜けが防止される。
【００２５】
図３は本実施の形態のクリップ１０によって巻き止められるリストバンド２０の斜視図である。同図に示すようにリストバンド２０は、その一部が幅広に形成された表示部３８と、この表示部３８の両側に延びるバンド部４０，４２とで構成されている。
【００２６】
表示部３８には所定の情報（ここでは、患者名、科名、病棟名、血液型、バーコード及び二次元コードなど）が印字される。
【００２７】
短い方のバンド部４０には、リストバンド用クリップ１０のセット用の一対のバンド孔（以下、当該バンド孔はセット孔と表記する）４４，４４が形成されている。当該セット孔４４，４４は、一定の間隔Ｐをもって形成されている。一方、長い方のバンド部４２にはバンド孔２２，２２が一定の間隔Ｐをもって複数個形成されている。
【００２８】
以上のように構成された本実施の形態のクリップ１０の作用を、リストバンド２０を手首に巻き付ける手順をもって説明する。
【００２９】
まず、図４に示すように短い方のバンド部４０に形成されたセット孔４４にオスクリップ部１２のボス１８を通し、クリップ１０にリストバンド２０を取り付ける。
【００３０】
次に、リストバンド２０を手首に巻き付けた後、長い方のバンド部４２に形成されたバンド孔２２を手首の太さに応じて選択し、ボス１８を当該選択したバンド孔２２に通す。これにより、リストバンド２０が仮の位置で手首に巻き付けられる。この際には、逆止部３０または係止部２８によってリストバンド２０がボス１８からはずれてしまうことなく、煩雑とならずにバンド孔の位置を仮決めできる。この結果、リストバンド２０の長さが長すぎた場合や短すぎた場合には、ボス１８からバンド孔２２を外した後、あらためてバンド孔２２を選択し、ボス１８に嵌め直す。セット孔４４にボス１８を通した状態でバンド孔２２を嵌め直すことができるので、位置決め作業が煩雑とならずに行える。
【００３１】
ついで、ヒンジ１６を介してメスクリップ部１４をオスクリップ部１２側に折り曲げ、オスクリップ部１２の上面をメスクリップ部１４で閉じ、クリップ１０を折り畳む。
【００３２】
ボス１８の先端に形成された逆止部３０がメスクリップ部１４の抜け止め部３４を押し広げた後、逆止部３０が抜け止め部３４と係合して、図５に示すようにメスクリップ部１４がロックされる。このとき、オスクリップ部１２とメスクリップ部１４との隙間を、バンド部４０，４２それぞれを重ねた厚みと同等以下となるように設定すれば、クリップ１０によりリストバンド２０を強固に挟み込むことができ、リストバンド２０のグラツキなどをさらに防止できる。
【００３３】
このようにして、リストバンド２０が手首などに環状に巻き付けられる。ボス１８とボス孔２４とは、ヒンジ１６を折り曲げるだけで嵌合させることができるため、片手でもリストバンド２０の取り付けができる。一旦抜け止め部３４と係合した逆止部３０は、二度と抜けることなくボス１８をロックするため、たとえば病院などにおいても安全に使用することができる。なお、リストバンド２０を取り外す際にはリストバンド２０をハサミなどで切断する。
【００３４】
上述した構成のリストバンド用クリップ１０によれば、リストバンド２０のグラツキやガタツキ、オスクリップ部１２とメスクリップ部１４との間のグラツキなどを防止できる。また、ボス１８とボス孔２４をロック可能な形状で形成したので、リストバンド用クリップをコンパクト化できる。さらに、弾性材料にて形成されたクリップ１０によって肌などを刺激することがなく、装着者に不快感を与えることがない。また、リストバンド用クリップに付着した菌の増殖を抑制でき、高い抗菌効果を得ることができる。
【００３５】
上述したような実施の形態に示したリストバンド用クリップの構成は前記実施の形態に限定されるものではない。たとえば本実施の形態では、ボス１８の断面形状が円状に形成されているが、これに限定されず、四角形状に形成してもよい。なお、このボス１８の形状はリストバンド２０に形成されたバンド孔２２の形状に応じて適宜変更することが好ましい。
【００３６】
また、本実施の形態に示したオスクリップ部１２とメスクリップ部１４と一体的に形成されたヒンジ１６の別の態様として、回転軸によって回転可能に支持された複数のヒンジによって、メスクリップ部１４をオスクリップ部１２側に折り畳む構成としてもよい。
【００３７】
また、クリップ１０の構成として複数色のクリップを揃え、クリップの色で各種情報の識別を行うようにしてもよい。たとえば、血液型の識別として、赤、青、黄色、緑の四色のクリップを揃え、赤をＡ型、青をＢ型、黄色をＡＢ型、緑をＯ型として、クリップの色で装着者の血液型を識別できるようにしてもよい。この他、診療科別や病棟別に色分けして、クリップの色で診療科や病棟を識別できるようにしてもよい。
【００３８】
さらに、オスクリップ部とメスクリップ部の色を分けて二つの情報を識別できるようにしてもよい。
【００３９】
本実施の形態では本発明を病院などで患者識別のために使用されるリストバンドに適用した例で説明したが、本発明の適用はこれに限定されるものではなく、遊園地のアミューズメント施設で入場チケットとして使用される構成のものや、スキー場でリフト券として使用される構成のものなど、あらゆる用途のリストバンドに適用することができる。
【図面の簡単な説明】
【００４０】
【図１】本発明の実施の形態に係るリストバンド用クリップの構成を示す平面図
【図２】本発明の実施の形態に係るリストバンド用クリップの構成を示す側面図
【図３】本発明の実施の形態に係るリストバンド用クリップが適用されるリストバンドの構成を示す斜視図
【図４】本発明の実施の形態に係るリストバンド用クリップの作用を示す側面図
【図５】本発明の実施の形態に係るリストバンド用クリップの作用を示す別の側面図
【符号の説明】
【００４１】
１０…リストバンド用クリップ、１２…オスクリップ部、１４…メスクリップ部、１６…ヒンジ、１８…ボス、２０…リストバンド、２２…バンド孔、２４…ボス孔、２８…係止部、３０…逆止部、３２…保持部、３４…抜け止め部
【図１】
2005160551.tif 000003
【図２】
2005160551.tif 000004
【図３】
2005160551.tif 000005
【図４】
2005160551.tif 000006
【図５】
2005160551.tif 000007